(57)【要約】【課題】画像を撮影する機能を持つ無線通信装置において、消費電力を下げてバッテリー駆動時間を長くすることを目的とする。【解決手段】画像を撮影して画像情報に変換する画像入力手段と、画像を表示する画像表示手段と、前記画像情報を記憶する画像記憶手段と、前記画像情報を送信する無線通信手段と、駆動電源を制御して消費電力を調節する駆動電源制御手段を有し、前記駆動電源制御手段は、駆動電源残量が少ない場合に前記画像表示手段の画像表示輝度を低く設定し、前記無線通信手段において通信が行われている場合に前記画像表示手段の画像表示輝度を低く設定し、駆動電源残量が少ない場合に前記無線通信手段のセルサーチの時間間隔を長く設定し、前記無線通信手段は、前記画像入力手段によって画像が撮影されるときにセルサーチを停止して、無線通信装置の消費電力が下がるように設定する。【選択図】        図１
2005012720.tif 000002
【特許請求の範囲】
【請求項１】
画像を撮影して画像情報としてディジタル情報に変換する画像入力手段と、画像を表示する画像表示手段と、前記画像情報を記憶する画像記憶手段と、前記画像情報を送信する無線通信手段を有することを特徴とする無線通信装置。
【請求項２】
請求項１に記載の無線通信装置において、駆動電源を制御して無線通信装置の消費電力を調節する駆動電源制御手段を有することを特徴とする無線通信装置。
【請求項３】
請求項２に記載の無線通信装置おいて、駆動電源残量が少ない場合は前記画像表示手段における画像表示輝度を低く設定して消費電力を低下させる駆動電源制御手段を有することを特徴とする無線通信装置。
【請求項４】
請求項２に記載の無線通信装置において、前記無線通信手段によって通信が行われている場合は前記画像表示手段における画像表示輝度を低く設定して消費電力を低下させる駆動電源制御手段を有することを特徴とする無線通信装置。
【請求項５】
請求項２に記載の無線通信装置において、駆動電源残量が少ない場合は前記無線通信手段におけるセルサーチの時間間隔を長く設定して消費電力を低下させる駆動電源制御手段を有することを特徴とする無線通信装置。
【請求項６】
請求項２に記載の無線通信装置において、前記画像入力手段によって画像が撮影されるときにセルサーチを停止する無線通信手段を有することを特徴とする無線通信装置。
【請求項７】
請求項１から請求項６に記載の無線通信装置において、前記無線通信手段としてＩＭＴ−２０００の無線通信手段を有することを特徴とする無線通信装置。
【発明の詳細な説明】
【０００１】
【発明の属する技術分野】
本発明は、画像を撮影する機能を持つ無線通信装置に関するものである。
【０００２】
【従来の技術】
従来、無線通信装置に画像を撮影する機能を付加して画像情報を送信する場合に、画像入力をモニターするために画像を表示するときの画像表示輝度を変更することができなかった。従来技術として特開平５−３２７５８７号公報に、無線通信装置の液晶表示回路への電源供給を制御するものがあるが、上記従来例の液晶表示は無線通信装置の使用状況を表示するためのものであり、画像を撮影する機能を実現するために画像入力をモニターするためのものではない。また、基地局から送信される報知信号を受信するセルサーチの時間間隔を変更することができなかった。
【０００３】
【発明が解決しようとする課題】
画像入力をモニターするために画像を表示するときの画像表示輝度を変更することができないために画像表示の消費電力を下げることができない、そのため通信中の消費電力が大きくなる、セルサーチの時間間隔を変更することができないためにセルサーチの消費電力を下げることができない、上述した諸要因の結果無線通信装置のバッテリー駆動時間を長くすることができないという課題がある。
【０００４】
【課題を解決するための手段】
上記課題を解決するため、本出願に係る発明は、画像を撮影して画像情報としてディジタル情報に変換する画像入力手段と、画像を表示する画像表示手段と、前記画像情報を記憶する画像記憶手段と、前記画像情報を送信する無線通信手段と、駆動電源を制御して消費電力を調節する駆動電源制御手段を有し、前記画像表示手段における画像表示輝度を駆動電源残量に応じて変更すること、前記無線通信手段においてセルサーチの時間間隔を駆動電源残量に応じて変更すること
を特徴とする。
【０００５】
上記構成において、前記駆動電源制御手段は、駆動電源残量が少ない場合に前記画像表示手段の画像表示輝度を低く設定し、前記無線通信手段において通信が行われている場合に前記画像表示手段の画像表示輝度を低く設定し、駆動電源残量が少ない場合に前記無線通信手段のセルサーチの時間間隔を長く設定し、前記無線通信手段は、前記画像入力手段によって画像が撮影されるときにセルサーチを停止して、無線通信装置の消費電力が下がるように動作する。
【０００６】
【発明の実施の形態】
以下、図面を参照しながら本発明の実施の形態を説明する。
【０００７】
（第一の実施例）
図１は、本発明の第一の実施例に係る無線通信装置の構成を示すブロック図である。１０１は、無線通信装置に画像撮影機能を付加する画像入力部である。例えば、デジタルカメラのように画像を画素に分割してディジタル情報に変換する撮像系が使用される。１０２は、ディジタル情報に変換された画像情報を記憶する画像記憶部である。１０３は、画像情報を送信する無線通信部であり、通信の開始と終了、画像情報の送信を行うことができる。１０４は、画像入力部１０１から入力される画像を表示する画像表示部である。１０５は、画像撮影の開始と終了の設定をする撮影モード入力部である。１０６は、無線通信装置の制御プログラムが格納されているＲＯＭである。１０７は、制御プログラムの動作に伴うデータの受け渡しや一時的な記憶に使用されるＲＡＭである。１０８は、無線通信装置の動作アルゴリズムが実装された制御プログラムを実行するＣＰＵである。１０９は、駆動電源を制御する駆動電源制御部である。１１０は、上述した無線通信装置の構成要素を連結するバスであり、構成要素間のデータの受け渡しに使用される。１１１は、駆動電源制御部１０９によって制御される駆動電源部であり、画像入力部１０１、画像記憶部１０２、無線通信部１０３、画像表示部１０４、撮影モード入力部１０５、ＲＡＭ１０７、ＣＰＵ１０８、駆動電源制御部１０９、バス１１０に駆動電源を供給する。
【０００８】
図２は、本発明の第一の実施例に係る無線通信装置が使用される無線通信システムを示す。無線通信装置２０１は基地局２０２を介してＩＭＴ−２０００網２０３に接続され、データの受信と記憶を行うサーバ２０４と通信する。ＩＭＴ−２０００方式を使用した無線通信システムは、一定の時間間隔でセルサーチが行われる無線通信システムの一例である。
【０００９】
図２には、無線通信装置２０１、基地局２０２、およびサーバ２０４の通信シーケンスが示されている。通信開始時には、無線通信装置２０１が基地局２０２に発呼し、基地局２０２がサーバ２０４に発呼する。その結果、無線通信装置２０１とサーバ２０４が通信中の状態に移行する。通信中の状態において、画像を撮影する機能を持つ無線通信装置２０１は、サーバ２０４に画像情報を送信する。通信終了時には、無線通信装置２０１が基地局２０２との通信を切断し、基地局２０２がサーバ２０４との通信を切断する。
【００１０】
図３は、本発明の第一の実施例に係る無線通信装置における駆動電源残量と画像表示輝度の対応を示す表である。駆動電源残量は、駆動電源部１１１の最大容量を１００％として百分率で表している。画像表示輝度は、画像表示部１０４における画像表示輝度の最大値を１００％として百分率で表している。
【００１１】
図４は、本発明の第一の実施例に係る無線通信装置の動作アルゴリズムを示すフローチャートである。このフローチャートに従って、無線通信装置の動作を説明する。
【００１２】
ステップＳ４０１では、撮影モード入力部１０５に入力される撮影モードによって撮影開始か否かを判別する。撮影モードが「撮影停止」である場合は、撮影開始ではないと判断してステップＳ４０１に戻る。撮影モードが「撮影停止」以外の場合は入力された撮影モードをＲＡＭ１０７の撮影モード格納領域に記憶し、撮影開始と判断してステップＳ４０２へ進み処理が続けられる。
【００１３】
ステップＳ４０２では、駆動電源制御部１０９が、駆動電源部１１１の駆動電源残量をもとに図３の対応表に示す画像表示輝度が得られるように、駆動電源部１１１から画像表示部１０４へ供給される電力を調節する。この場合、画像表示輝度は撮影時のものを適用する。
【００１４】
ステップＳ４０３では、ステップＳ４０２で設定された画像表示輝度で画像入力部１０１から入力される画像が画像表示部１０４に表示される。
【００１５】
ステップＳ４０４では、画像入力部１０１で画像が撮影され、入力された画像情報が画像記憶部１０２に記憶され、無線通信部１０３からサーバに送信される一連の処理が行われる。ステップＳ４０４の処理の詳細は図５を参照して後述する。
【００１６】
ステップＳ４０５では、画像表示部１０４における画像表示を終了する。
【００１７】
ステップＳ４０６では、無線通信装置の動作終了が指示されたか否かが判別され、動作終了しない場合はステップＳ４０１に戻り処理が続けられる。動作終了する場合は動作アルゴリズムを終了する。
【００１８】
図５は、本発明の第一の実施例に係る無線通信装置における撮影および送信の動作アルゴリズムを示すフローチャートである。このアルゴリズムは、図４のステップＳ４０４に対応する。
【００１９】
ステップＳ５０１では、画像入力部１０１において画像の撮影が行われて画像情報が入力されたか否かが判別される。画像情報が入力された場合はステップＳ５０２に進む。画像情報が入力されない場合はステップＳ５０３に進む。
【００２０】
ステップＳ５０２では、画像入力部１０１において入力された画像情報が、画像記憶部１０２に転送されて記憶される。
【００２１】
ステップＳ５０３では、無線通信部１０３が画像情報の送信開始に設定されていて画像記憶部１０２に画像情報が記憶されていて送信可能であるか否かが判別される。送信可能である場合は、ステップＳ５０４に進む。送信可能ではない場合は、ステップＳ５０６に進む。
【００２２】
ステップＳ５０４では、駆動電源制御部１０９が、駆動電源部１１１の駆動電源残量をもとに図３の対応表に示す画像表示輝度が得られるように、駆動電源部１１１から画像表示部１０４へ供給される電力を調節する。この場合、画像表示輝度は通信時のものを適用する。
【００２３】
ステップＳ５０５では、無線通信部１０３において通信が開始される。その結果、無線通信装置２０１とサーバ２０４が通信中の状態に移行する。その後、記憶されている画像情報が画像記憶部１０２から読み出され、無線通信部１０３に入力される。入力された画像情報は無線通信部１０３から送信される。送信が終了した画像情報は画像記憶部１０２から消去される。画像情報の送信が終了した後、無線通信装置２０１とサーバ２０４の回線が切断されて通信が終了する。
【００２４】
ステップＳ５０６では、撮影モードを変更するために撮影を終了するか否かが判別される。撮影モード入力部１０５に入力された撮影モードがＲＡＭ１０７の撮影モード格納領域に記憶されている撮影モードと一致する場合は、撮影終了ではないと判断してステップＳ５０７に進み処理が続けられる。撮影モード入力部１０５に入力された撮影モードがＲＡＭ１０７の撮影モード格納領域に記憶されている撮影モードと一致しない場合は、撮影終了であると判断してステップＳ４０５に進む。
【００２５】
ステップＳ５０７では、駆動電源制御部１０９が、駆動電源部１１１の駆動電源残量をもとに図３の対応表に示す画像表示輝度が得られるように、駆動電源部１１１から画像表示部１０４へ供給される電力を調節する。この場合、画像表示輝度は撮影時のものを適用する。その後ステップＳ５０１に進み、処理が続けられる。
【００２６】
（第二の実施例）
本発明の第二の実施例に係る無線通信装置の構成を示すブロック図は、第一の実施例同様図１に示される。
【００２７】
本発明の第二の実施例に係る無線通信装置が使用される無線通信システムは、第一の実施例同様図２に示される。
【００２８】
図６は、本発明の第二の実施例に係る無線通信装置における駆動電源残量とセルサーチタイマ値の対応を示す表である。駆動電源残量は、駆動電源部１１１の最大容量を１００％として百分率で表している。セルサーチタイマ値は、無線通信部１０３で行われるセルサーチの時間間隔を秒単位で表している。
【００２９】
図７は、本発明の第二の実施例に係る無線通信装置の動作アルゴリズムを示すフローチャートである。このフローチャートに従って、無線通信装置の動作を説明する。
【００３０】
ステップＳ７０１では、撮影モード入力部１０５に入力される撮影モードによって撮影開始か否かを判別する。撮影モードが「撮影停止」である場合は、撮影開始ではないと判断してステップＳ７０１に戻る。撮影モードが「撮影停止」以外の場合は入力された撮影モードをＲＡＭ１０７の撮影モード格納領域に記憶し、撮影開始と判断してステップＳ７０２へ進み処理が続けられる。
【００３１】
ステップＳ７０２では、駆動電源制御部１０９が、駆動電源部１１１の駆動電源残量をもとに図６の対応表に示す時間間隔でセルサーチが行われるように、無線通信部１０３のセルサーチタイマ値を設定する。
【００３２】
ステップＳ７０３では、無線通信部１０３でセルサーチが開始される。無線通信部１０３で行われるセルサーチの処理は図９を参照して後述する。
【００３３】
ステップＳ７０４では、画像入力部１０１で画像が撮影され、入力された画像情報が画像記憶部１０２に記憶され、無線通信部１０３からサーバに送信される一連の処理が行われる。ステップＳ７０４の処理の詳細は図８を参照して後述する。
【００３４】
ステップＳ７０５では、無線通信部１０３におけるセルサーチを終了する。
【００３５】
ステップＳ７０６では、無線通信装置の動作終了が指示されたか否かが判別され、動作終了しない場合はステップＳ７０１に戻り処理が続けられる。動作終了する場合は動作アルゴリズムを終了する。
【００３６】
図８は、本発明の第二の実施例に係る無線通信装置における撮影および送信の動作アルゴリズムを示すフローチャートである。このアルゴリズムは、図７のステップＳ７０４に対応する。
【００３７】
ステップＳ８０１では、画像入力部１０１において画像の撮影が行われて画像情報が入力されたか否かが判別される。画像情報が入力された場合はステップＳ８０２に進む。画像情報が入力されない場合はステップＳ８０３に進む。
【００３８】
ステップＳ８０２では、画像入力部１０１において入力された画像情報が、画像記憶部１０２に転送されて記憶される。
【００３９】
ステップＳ８０３では、無線通信部１０３が画像情報の送信開始に設定されていて画像記憶部１０２に画像情報が記憶されていて送信可能であるか否かが判別される。送信可能である場合は、ステップＳ８０４に進む。送信可能ではない場合は、ステップＳ８０６に進む。
【００４０】
ステップＳ８０４では、駆動電源制御部１０９が、駆動電源部１１１の駆動電源残量をもとに図６の対応表に示す時間間隔でセルサーチが行われるように、無線通信部１０３のセルサーチタイマ値を設定する。
【００４１】
ステップＳ８０５では、無線通信部１０３において通信が開始される。その結果、無線通信装置２０１とサーバ２０４が通信中の状態に移行する。その後、記憶されている画像情報が画像記憶部１０２から読み出され、無線通信部１０３に入力される。入力された画像情報は無線通信部１０３から送信される。送信が終了した画像情報は画像記憶部１０２から消去される。画像情報の送信が終了した後、無線通信装置２０１とサーバ２０４の回線が切断されて通信が終了する。
【００４２】
ステップＳ８０６では、撮影モードを変更するために撮影を終了するか否かが判別される。撮影モード入力部１０５に入力された撮影モードがＲＡＭ１０７の撮影モード格納領域に記憶されている撮影モードと一致する場合は、撮影終了ではないと判断してステップＳ８０７に進み処理が続けられる。撮影モード入力部１０５に入力された撮影モードがＲＡＭ１０７の撮影モード格納領域に記憶されている撮影モードと一致しない場合は、撮影終了であると判断してステップＳ７０５に進む。
【００４３】
ステップＳ８０７では、駆動電源制御部１０９が、駆動電源部１１１の駆動電源残量をもとに図３の対応表に示す時間間隔でセルサーチが行われるように、無線通信部１０３のセルサーチタイマ値を設定する。その後ステップＳ８０１に進み、処理が続けられる。
【００４４】
図９は、本発明の第二の実施例に係る無線通信装置における無線通信部１０３で行われるセルサーチの動作アルゴリズムを示すフローチャートである。
【００４５】
ステップＳ９０１では、セルサーチが行われる。
【００４６】
ステップＳ９０２では、セルサーチタイマがセルサーチタイマ値に到達したか否かが判別される。セルサーチタイマ値に到達した場合はステップＳ９０３に進み，到達しない場合はステップＳ９０４に進む。
【００４７】
ステップＳ９０３では、セルサーチが行われ、セルサーチタイマがリセットされる。
【００４８】
ステップＳ９０４では、セルサーチタイマ値の設定変更がなされたか否かが判別される。設定変更がなされた場合はステップＳ９０５に進み、設定変更がなされない場合はステップＳ９０６に進む。
【００４９】
ステップＳ９０５では、セルサーチタイマ値が設定変更された値に更新される。
【００５０】
ステップＳ９０６では、セルサーチ終了であるか否かが判別され、終了ではない場合はステップＳ９０２に戻って処理が続けられる。
【００５１】
（第三の実施例）
本発明の第三の実施例に係る無線通信装置の構成を示すブロック図は、第一の実施例同様図１に示される。
【００５２】
本発明の第三の実施例に係る無線通信装置が使用される無線通信システムは、第一の実施例同様図２に示される。
【００５３】
本発明の第三の実施例に係る無線通信装置における駆動電源残量とセルサーチタイマ値の対応を示す表は、第二の実施例同様図６に示される。
【００５４】
本発明の第三の実施例に係る無線通信装置の動作アルゴリズムを示すフローチャートは、第二の実施例同様図７に示される。
【００５５】
図１０は、本発明の第三の実施例に係る無線通信装置における撮影および送信の動作アルゴリズムを示すフローチャートである。このアルゴリズムは、図７のステップＳ７０４に対応する。
【００５６】
ステップＳ１００１では、画像入力部１０１において画像の撮影が行われて画像情報が入力されたか否かが判別される。画像情報が入力された場合はステップＳ１００２に進む。画像情報が入力されない場合はステップＳ１００５に進む。
【００５７】
ステップＳ１００２では、無線通信部１０３で行われるセルサーチを停止する。
【００５８】
ステップＳ１００３では、画像入力部１０１において入力された画像情報が、画像記憶部１０２に転送されて記憶される。
【００５９】
ステップＳ１００４では、無線通信部１０３で行われるセルサーチを再開する。
【００６０】
ステップＳ１００５では、無線通信部１０３が画像情報の送信開始に設定されていて画像記憶部１０２に画像情報が記憶されていて送信可能であるか否かが判別される。送信可能である場合は、ステップＳ１００６に進む。送信可能ではない場合は、ステップＳ１００７に進む。
【００６１】
ステップＳ１００６では、無線通信部１０３において通信が開始される。その結果、無線通信装置２０１とサーバ２０４が通信中の状態に移行する。その後、記憶されている画像情報が画像記憶部１０２から読み出され、無線通信部１０３に入力される。入力された画像情報は無線通信部１０３から送信される。送信が終了した画像情報は画像記憶部１０２から消去される。画像情報の送信が終了した後、無線通信装置２０１とサーバ２０４の回線が切断されて通信が終了する。
【００６２】
ステップＳ１００７では、撮影モードを変更するために撮影を終了するか否かが判別される。撮影モード入力部１０５に入力された撮影モードがＲＡＭ１０７の撮影モード格納領域に記憶されている撮影モードと一致する場合は、撮影終了ではないと判断してステップＳ１００１に進み処理が続けられる。撮影モード入力部１０５に入力された撮影モードがＲＡＭ１０７の撮影モード格納領域に記憶されている撮影モードと一致しない場合は、撮影終了であると判断してステップＳ７０５に進む。
【００６３】
図１１は、本発明の第三の実施例に係る無線通信装置における無線通信部１０３で行われるセルサーチの動作アルゴリズムを示すフローチャートである。
【００６４】
ステップＳ１１０１では、セルサーチが行われる。
【００６５】
ステップＳ１１０２では、セルサーチタイマがセルサーチタイマ値に到達したか否かが判別される。セルサーチタイマ値に到達した場合はステップＳ１１０３に進み，到達しない場合はステップＳ１１０５に進む。
【００６６】
ステップＳ１１０３では、無線通信部１０３に対してセルサーチ停止の指示がなされているか否かが判別される。セルサーチ停止の場合はステップＳ１１０３の動作を繰り返す。セルサーチ再開の場合はステップＳ１１０４に進み処理が続けられる。
【００６７】
ステップＳ１１０４では、セルサーチが行われ、セルサーチタイマがリセットされる。
【００６８】
ステップＳ１１０５では、セルサーチ終了であるか否かが判別され、終了ではない場合はステップＳ１１０２に戻って処理が続けられる。
【００６９】
（その他の実施例）
第一、第二、第三の実施例においてＩＭＴ−２０００方式による無線通信手段を使用したが、セルサーチを一定の時間間隔で行う方式であれば他の方式による無線通信手段でも本発明を適用することが可能である。
【００７０】
第一の実施例において使用した駆動電源残量と画像表示輝度の対応関係は一例であり、他の対応関係を定義することが可能である。
【００７１】
第二、第三の実施例において使用した駆動電源残量とセルサーチの時間間隔の対応関係は一例であり、他の対応関係を定義することが可能である。
【００７２】
【発明の効果】
以上説明したように、本出願に係る発明によれば、画像を撮影して画像情報としてディジタル情報に変換する画像入力手段と、画像を表示する画像表示手段と、前記画像情報を記憶する画像記憶手段と、前記画像情報を送信する無線通信手段と、駆動電源を制御して消費電力を調節する駆動電源制御手段を有し、前記駆動電源制御手段は、駆動電源残量が少ない場合に前記画像表示手段の画像表示輝度を低く設定し、前記無線通信手段において通信が行われている場合に前記画像表示手段の画像表示輝度を低く設定し、駆動電源残量が少ない場合に前記無線通信手段のセルサーチの時間間隔を長く設定し、前記無線通信手段は、前記画像入力手段によって画像が撮影されるときにセルサーチを停止して、無線通信装置の消費電力が下がるという効果がある。
【図面の簡単な説明】
【図１】本発明の実施例に係る無線通信装置の構成を示すブロック図。
【図２】本発明の実施例に係る無線通信装置が使用される無線通信システム、および、通信シーケンス図。
【図３】本発明の第一の実施例に係る無線通信装置における駆動電源残量と画像表示輝度の対応を示す表。
【図４】本発明の第一の実施例に係る無線通信装置の動作アルゴリズムを示すフローチャート。
【図５】本発明の第一の実施例に係る無線通信装置における撮影および送信の動作アルゴリズムを示すフローチャート。
【図６】本発明の第二、第三の実施例に係る無線通信装置における駆動電源残量とセルサーチタイマ値の対応を示す表。
【図７】本発明の第二、第三の実施例に係る無線通信装置の動作アルゴリズムを示すフローチャート。
【図８】本発明の第二の実施例に係る無線通信装置における撮影および送信の動作アルゴリズムを示すフローチャート。
【図９】本発明の第二の実施例に係る無線通信装置におけるセルサーチの動作アルゴリズムを示すフローチャート。
【図１０】本発明の第三の実施例に係る無線通信装置における撮影および送信の動作アルゴリズムを示すフローチャート。
【図１１】本発明の第三の実施例に係る無線通信装置におけるセルサーチの動作アルゴリズムを示すフローチャート。
【符号の説明】
１０１  画像入力部
１０２  画像記憶部
１０３  無線通信部
１０４  画像表示部
１０５  撮影モード入力部
１０６  ＲＯＭ
１０７  ＲＡＭ
１０８  ＣＰＵ
１０９  駆動電源制御部
１１０  バス
１１１  駆動電源部
２０１  無線通信装置
２０２  基地局
２０３  ＩＭＴ−２０００網
２０４  サーバ
【図１】
2005012720.tif 000003
【図２】
2005012720.tif 000004
【図３】
2005012720.tif 000005
【図４】
2005012720.tif 000006
【図５】
2005012720.tif 000007
【図６】
2005012720.tif 000008
【図７】
2005012720.tif 000009
【図８】
2005012720.tif 000010
【図９】
2005012720.tif 000011
【図１０】
2005012720.tif 000012
【図１１】
2005012720.tif 000013